(57)【要約】【課題】同一画面上で容易に電力情報を把握することができる電力情報の表示方法を提供することである。【解決手段】電力管理装置１０によって電力が管理される設備を備える複数の施設と、複数の施設の各設備を接続する電力経路と、を模式的に表示部１１に表示する電力情報の表示方法であって、電力管理装置１０は、設備の電力の情報を取得するとともに、設備の電力の情報に応じた信号を表示部１１に出力し、表示部１１は、複数の施設を施設ごとに区分けして表示し、電力の有無及び電力が流れる方向を電力経路表示部２０上に表示し、各設備に関する電力情報を数字で表示する。【選択図】図２
2012090483.tif 000002
【特許請求の範囲】
【請求項１】
電力管理装置によって電力が管理される設備を備える複数の施設と、前記複数の施設の各設備を接続する電力経路と、を模式的に表示部に表示する電力情報の表示方法であって、
前記電力管理装置は、前記設備の電力の情報を取得するとともに、前記設備の電力の情報に応じた信号を前記表示部に出力し、
前記表示部は、前記複数の施設を施設ごとに区分けして表示し、前記電力の有無及び前記電力が流れる方向を前記電力経路上に表示し、前記各設備に関する電力情報を数字で表示することを特徴とする電力情報の表示方法。
【請求項２】
請求項１に記載の電力情報の表示方法において、
前記各設備は、光電変換装置と、二次電池と、負荷と、を有し、
前記電力情報は、前記光電変換装置の発電量と、前記二次電池の蓄電量と、前記負荷の負荷電力量と、を有することを特徴とする電力情報の表示方法。
【請求項３】
請求項２に記載の電力情報の表示方法において、
前記表示部は、前記区分けされた前記各施設の表示領域内にそれぞれ設けられる負荷情報表示部を表示し、
前記負荷に電力供給される電力の内訳として、前記光電変換装置からの発電電力量と、前記二次電池からの放電電力量と、商用電源からの商用電力量とに分けて、それぞれの電力量を前記負荷電力量とともに前記負荷情報表示部に数字で表示することを特徴とする電力情報の表示方法。
【請求項４】
請求項３に記載の電力情報の表示方法において、
前記表示部は、前記負荷情報表示部を前記施設の表示領域内における電力経路上に表示することを特徴とする電力情報の表示方法。
【請求項５】
請求項４に記載の電力情報の表示方法において、
前記表示部は、前記施設の表示領域内において前記負荷情報表示部の近傍に設けられる二酸化炭素削減量表示部を表示し、前記施設における二酸化炭素削減量を前記二酸化炭素削減量表示部に表示することを特徴とする電力情報の表示方法。
【請求項６】
請求項２から請求項５のいずれか１に記載の電力情報の表示方法において、
前記表示部は、前記施設の表示領域内において、前記光電変換装置の発電量を表す発電量表示部と、前記二次電池の蓄電量を表す蓄電量表示部と、を表示し、
前記負荷情報表示部は、前記発電量表示部と前記蓄電量表示部とは異なる色あるいは異なる模様で表示されることを特徴とする電力情報の表示方法。
【請求項７】
請求項１から請求項６のいずれか１に記載の電力情報の表示方法において、
前記表示部は、前記電力のうち、商用電源から供給される商用電力と前記商用電力以外の電力とを異なる色あるいは異なる模様で表示することを特徴とする電力情報の表示方法。
【請求項８】
請求項３から請求項７のいずれか１に記載の電力情報の表示方法において、
前記表示部は、前記各施設の表示領域とは異なる領域に設けられる電力量合計値表示部を表示し、前記各施設の各負荷情報表示部に各電力量の合計値をそれぞれ前記電力量合計値表示部に表示することを特徴とする電力情報の表示方法。
【請求項９】
請求項８に記載の電力情報の表示方法において、
前記表示部は、前記各施設の表示領域とは異なる領域において、
前記電力量合計値表示部の各電力量について、１日を単位として演算した合計値を表示する電力量日単位合計値表示部と、
前記電力量合計値表示部の各電力量について、１ヶ月を単位として演算した合計値を表示する電力量月単位合計値表示部と、
前記電力量合計値表示部の各電力量について、１年を単位として演算した合計値を表示する電力量年単位合計値表示部と、
のうち少なくとも１つを表示することを特徴とする電力情報の表示方法。
【請求項１０】
請求項９に記載の電力情報の表示方法において、
前記表示部は、前記電力量合計値表示部、前記電力量日単位合計値表示部、前記電力量月単位合計値表示部及び前記電力量年単位合計値表示部の近傍には、各表示部に対応して表示され、それぞれ二酸化炭素削減量を表示する二酸化炭素削減量合計値表示部、二酸化炭素削減量日単位合計値表示部、二酸化炭素削減量月単位合計値表示部及び二酸化炭素削減量年単位合計値表示部を表示することを特徴とする電力情報の表示方法。
【請求項１１】
請求項３に記載の電力情報の表示方法において、
前記表示部は、前記施設の表示領域内において、前記施設に設けられる同一の設備が複数存在する場合には、１つの設備を代表して表示し、
前記負荷情報表示部には、同一の設備の合計値の電力量を表示することを特徴とする電力情報の表示方法。
【発明の詳細な説明】
【技術分野】
【０００１】
本発明は、電力情報の表示方法に係り、特に、電力が管理対象とされる設備を備える複数の施設を画面上に表示する電力情報の表示方法に関する。
【背景技術】
【０００２】
近年、二次電池を利用することで、エネルギの有効活用を行うことが考えられている。例えば、環境に優しいクリーンエネルギとして太陽電池モジュールの開発が盛んに行なわれているが、太陽光を電力に変換する太陽電池モジュールは蓄電機能を備えていないため、二次電池と組み合わせて使用されることがある。例えば、太陽電池モジュールにより発電される発電電力を一旦二次電池に充電して、外部負荷の要求電力等に応じて二次電池から放電する充放電制御によってエネルギの有効活用が行なわれている。また、上記の太陽電池モジュールにより発電される発電電力の他に、商用電源から供給される商用電力を当該二次電池に一旦充電して、外部負荷の要求電力等に応じ、当該二次電池から必要な電力を放電することでエネルギのさらなる有効活用が行われている。
【０００３】
本発明に関連する技術として、例えば、特許文献１には、風力発電機と太陽光発電機を有し、当該風力発電機と太陽光発電機の発電量を表示する発電量表示装置が開示されている。ここでは、当該風力発電機と太陽光発電機に切り替えスイッチを接続し、また切り替えスイッチに電力測定用素子を接続し、さらに電力測定用素子に記憶装置を接続し、風力発電機と太陽光発電機に接続した蓄電池に蓄電するとともに、記憶装置の信号を表示板に送信し表示するように構成したことが述べられている。
【先行技術文献】
【特許文献】
【０００４】
【特許文献１】特開２００５−３１８６６５公報
【発明の概要】
【発明が解決しようとする課題】
【０００５】
ところで、電力が管理対象とされる設備を備える複数の施設において、上記のように、太陽電池モジュールの発電電力、二次電池の放電電力、商用電源の商用電力といった複数種類の電力が用いられると、管理される対象が多くなるため、電力管理が煩雑となる。
【０００６】
本発明の目的は、同一画面上で容易に電力情報を把握することができる電力情報の表示方法を提供することである。
【課題を解決するための手段】
【０００７】
本発明に係る電力情報の表示方法は、電力管理装置によって電力が管理される設備を備える複数の施設と、複数の施設の各設備を接続する電力経路と、を模式的に表示部に表示する電力情報の表示方法であって、電力管理装置は、設備の電力の情報を取得するとともに、設備の電力の情報に応じた信号を表示部に出力し、表示部は、複数の施設を施設ごとに区分けして表示し、電力の有無及び電力が流れる方向を電力経路上に表示し、各設備に関する電力情報を数字で表示することを特徴とする。
【発明の効果】
【０００８】
上記構成によれば、同一画面上において、電力の有無及び電力の流れる方向を視覚的に表示するともに電力情報を数字で表示しているため、電力情報を定量的及び定性的な観点で容易に把握することができる。
【図面の簡単な説明】
【０００９】
【図１】本発明に係る実施の形態において、電力管理システムと電力管理システムによって電力管理される電力管理対象施設との関係を示す図である。
【図２】本発明に係る実施の形態において、電力管理システムの表示部において表示される電力情報表示画面（電力管理対象施設の見取り図を模式的に表示し、各電力情報を反映させた画面）を示す図である。
【図３】本発明に係る実施の形態において、電力管理システムの表示部に表示される電力情報表示画面において、Ｄ棟の電力情報の詳細図を表示させた図である。
【発明を実施するための形態】
【００１０】
以下に図面を用いて、本発明に係る実施の形態を詳細に説明する。以下では、二次電池は、リチウムイオン二次電池であるものとして説明するが、これ以外の充放電可能な蓄電池であってもよい。例えばニッケル水素二次電池、ニッケルカドミウム蓄電池、鉛蓄電池、金属リチウム二次電池等であってもよい。
【００１１】
また、以下では、全ての図面において、同様の要素には同一の符号を付し、重複する説明を省略する。また、本文中の説明においては、必要に応じそれ以前に述べた符号を用いるものとする。
【００１２】
図１は、電力管理装置１０と電力管理装置１０によって電力管理される電力管理対象施設１００との関係を示す図である。電力管理装置１０は、所定の演算処理機能を有する演算処理装置であって、表示部１１を含んで構成される。電力管理装置１０は、電力管理対象施設１００に備えられた設備を管理する機能を有する。具体的に説明すると、電力管理装置１０は、電力管理対象施設１００に備えられた設備を制御する信号を形成して、この信号を電力管理対象施設１００の所定の設備に送信する。また、電力管理装置１０は、電力管理対象施設１００に備えられた設備の電力の情報を受信するとともに、この情報の内容を表示部１１に表示する。表示部１１は、電力管理装置１０と一体的に設けられた表示装置であってもよく、電力管理装置１０と離間して設けられた表示装置であってもよい。
【００１３】
電力管理対象施設１００は、Ａ棟１０２と、Ｂ棟１０４と、Ｃ棟１０６と、Ｄ棟１０８と、商用電源１１０とを含んで構成される。なお、ここでは電力管理対象施設１００として商用電源１１０を含んでいるものとして説明したが、商用電源１１０の商用電力量の情報を取得して表示するための管理を行っているだけで、商用電源１１０の電力制御は行っていない。また、ここでは電力管理対象施設１００として商用電源１１０を含んでいるものとして説明するが、商用電源１１０は電力管理対象施設１００の構成から外してもよい。
【００１４】
Ａ棟１０２は、太陽電池モジュール部１０２ａと、負荷部１０２ｂと、二次電池部１０２ｃを含む施設である。Ｂ棟１０４は、太陽電池モジュール部１０４ａと、負荷部１０４ｂ、二次電池部１０４ｃとを含む施設である。Ｃ棟１０６は、太陽電池モジュール部１０６ａと、負荷部１０６ｂとを含む施設である。Ｄ棟１０８は、太陽電池モジュール部１０８ａと、負荷部１０８ｂと、二次電池部１０８ｃとを含む施設である。商用電源１１０は、各棟に商用電力を供給する電力供給源であり、例えば、商用電力を供給する電力会社等の電力供給施設に相当する。
【００１５】
太陽電池モジュール部１０２ａ〜１０８ａは、それぞれ太陽光を電力に変換する複数の太陽電池モジュールを有し、各太陽電池モジュールが各棟の屋上等に設置されて発電している。
【００１６】
負荷部１０２ｂ〜１０８ｂは、各棟内において用いられる複数の負荷を有し、各負荷は、例えば、居室内を照らす照明、居室内の温度調節を行なう空調、パーソナルコンピュータ、コピー機等である。
【００１７】
ここで、太陽電池モジュール部１０２ａで発電された発電電力は、主に、Ａ棟１０２内の負荷部１０２ｂに用いられる。また、太陽電池モジュール部１０４ａで発電された発電電力は、主に、Ｂ棟１０４内の負荷部１０４ｂに用いられるが、余剰電力をＢ棟１０４以外の設備に対して供給することも可能である。そして、太陽電池モジュール部１０６ａで発電された発電電力は、主に、Ｃ棟１０６内の負荷部１０６ｂに用いられるが、余剰電力をＣ棟１０６以外の設備に対して供給することも可能である。また、太陽電池モジュール部１０８ａで発電された発電電力は、主に、Ｄ棟１０８内の負荷部１０８ｂに用いられる。
【００１８】
二次電池部１０２ｃ，１０４ｃ，１０８ｃは、それぞれ炭素物質で構成された負極と、リチウムイオンが移動するための電解液と、リチウムイオンを可逆的に出し入れできる正極活物質とを含んで構成される二次電池を複数有する。二次電池部１０２ｃ，１０８ｃは、それぞれ、主に、太陽電池モジュール部１０２ａ，１０８ａにより、日照時間帯に発電された各発電電力がそれぞれ対応する各負荷部１０２ｂ，１０８ｂに供給される際に余った余剰電力を充電する蓄電池として機能する。二次電池部１０４ｃは、主に、電気代の安い深夜時間帯等において、商用電源１１０の商用電力を充電する蓄電池として機能する。
【００１９】
電力管理装置１０は、太陽電池モジュール部１０２ａ〜１０８ａの発電量、負荷部１０２ｂ〜１０８ｂの負荷電力、および二次電池部１０２ｃ〜１０８ｃの蓄電量など、各棟の電力情報等を取得して、電力管理対象施設１００に関する電力情報を表示部１１に表示させる。
【００２０】
図２は、電力管理装置１０の表示部１１において表示される電力情報表示画面（電力管理対象施設１００の見取り図を模式的に表示し、各電力情報を反映させた画面）を示す図である。表示部１１の電力情報表示画面には、Ａ棟表示部１２と、Ｂ棟表示部１４と、Ｃ棟表示部１６と、Ｄ棟表示部１８と、系統電源表示部１９と、電力経路表示部２０と、気象情報表示部２２と、電力量合計値表示部２４，２６，２８，３０と、ＣＯ2削減量合計値表示部２５，２７，２９，３１と、系統連系表示部４０，４１，４２とを含んで構成される。
【００２１】
電力経路表示部２０は、各棟の各設備を結ぶ電力線における電力の流れを模式的に表示する表示領域であり、各棟の間の中央部分において環状となっている環状経路２０１と、当該環状経路２０１と各棟の各設備との間をつなぐ延伸経路とを含む。電力経路表示部２０には、各電力の有無を表示する機能を有する。具体的には、太陽電池モジュール部１０２ａ〜１０８ａの発電電力（ＰＶ（Ｐｈｏｔｏ  Ｖｏｌｔａｔｉｃ）電力）、二次電池部１０２ｃ〜１０８ｃの放電電力（ＬｉＢ（Ｌｉ-ｉｏｎ  Ｂａｔｔｅｒｙ）電力）、商用電源１１０の商用電力が流れている場合には、図２に示されるように、矢印マークが表示される。そして、特に、電力経路表示部２０の延伸経路においては、矢印マークの先端部分が示す方向によって電力が流れる方向を表示することができる。また、当該矢印マークは、電力の種類によって色や模様を変えることができ、ここでは特に商用電力と、その他の電力（ＰＶ電力、ＬｉＢ電力）の色や模様を変えるものとして説明する。
【００２２】
Ａ棟表示部１２は、Ａ棟１０２の電力の情報を模式的に表示する表示領域であり、太陽電池モジュール表示部１２ａと、二次電池表示部１２ｃと、発電量表示部１２ｄと、蓄電量表示部１２ｅと、負荷情報表示部１２ｆと、ＣＯ2削減量表示部１２ｇとを含む表示領域である。
【００２３】
太陽電池モジュール表示部１２ａには、Ａ棟１０２に設けられる太陽電池モジュール部１０２ａのうち、１つの太陽電池モジュールを表す模式図を代表として表示されている。また、太陽電池モジュール表示部１２ａは、電力経路表示部２０のうち環状経路２０１からＡ棟表示部１２に向かって延伸する延伸経路２０２上に設けられている。
【００２４】
二次電池表示部１２ｃには、二次電池部１０２ｃのうち、１つの二次電池を表す模式図を代表として表示されている。また、二次電池表示部１２ｃは、電力経路表示部２０のうち環状経路２０１からＡ棟表示部１２に向かって延伸する延伸経路２０２上に設けられている。
【００２５】
発電量表示部１２ｄは、太陽電池モジュール部１０２ａの各太陽電池モジュールの発電量の合計を数字で表示している。また、発電量表示部１２ｄは、太陽電池モジュール表示部１２ａの近傍に配置されている。
【００２６】
蓄電量表示部１２ｅは、二次電池表示部１２ｃの各二次電池の蓄電量の合計を数字で表示している。また、蓄電量表示部１２ｅは、二次電池表示部１２ｃの近傍に配置されている。
【００２７】
負荷情報表示部１２ｆは、負荷部１０２ｂの要求電力である負荷電力の電力値と、太陽電池モジュール部１０２ａのＰＶ電力、二次電池部１０２ｃのＬｉＢ電力、商用電源１１０の商用電力のうち、当該負荷電力に対して電力供給を行っている電力の内訳として、各電力の電力値を負荷電力の電力値とともに数字で表示している。
【００２８】
ここで、負荷情報表示部１２ｆは、電力経路表示部２０のうち環状経路２０１からＡ棟表示部１２に向かって延伸する延伸経路２０２上に設けられている。そして、負荷情報表示部１２ｆの背景色は、発電量表示部１２ｄと蓄電量表示部１２ｅとは異なる色で表示されているものとして説明するが、負荷情報表示部１２ｆの背景模様が、発電量表示部１２ｄと蓄電量表示部１２ｅとは異なる背景模様で表示されているものとしてもよい。
【００２９】
ＣＯ2削減量表示部１２ｇは、Ａ棟１０２内におけるＣＯ2削減量を数字で表示している。ここで、ＣＯ2削減量は、商用電源１１０の商用電力による削減量と、商用電源１１０以外の自給電力による削減量とが合算された値である。商用電源１１０の商用電力は、水力発電電力、原子力発電電力、火力発電電力等で構成されるが、この中で、水力発電電力は自然エネルギを利用するものであるので、ＣＯ2削減効果がある。原子力発電電力も火力発電電力に比較すれば、ＣＯ2削減効果があるため、利用される電力の種類に基づいて商用電源１１０の商用電力によるＣＯ2削減量が求められる。そして、Ａ棟１０２の負荷部１０２ｂの消費電力を商用電源１１０以外の自給電力で一部または全部をまかなえば、その自給電力値に基づいて、商用電源１１０以外の自給電力によるＣＯ2削減量を求めることができる。
【００３０】
ここで、Ａ棟表示部１２の表示領域には、図２に示されるように、延伸経路２０２によって太陽電池モジュール表示部１２ａと二次電池表示部１２ｃと負荷情報表示部１２ｆとが接続されている様子が示されている。これにより、Ａ棟表示部１２の表示によってＡ棟１０２内における電力情報を視覚的に把握することができる。なお、Ｂ棟表示部１４，Ｃ棟表示部１６，Ｄ棟表示部１８においても同様に延伸経路部によって各設備が接続されている。
【００３１】
Ｂ棟表示部１４は、Ｂ棟１０４の電力の情報を模式的に表示する表示領域であり、太陽電池モジュール表示部１４ａと、二次電池表示部１４ｃと、発電量表示部１４ｄと、蓄電量表示部１４ｅと、負荷情報表示部１４ｆと、ＣＯ2削減量表示部１４ｇとを含む。Ｂ棟表示部１４は、Ｂ棟１０４の各設備に関する電力情報を表示する表示領域であり、当該表示領域は上述したＡ棟表示部１２と同様であるため、詳細な説明は省略する。
【００３２】
Ｃ棟表示部１６は、Ｃ棟１０６の電力の情報を模式的に表示する表示領域であり、太陽電池モジュール表示部１６ａと、発電量表示部１６ｄと、負荷情報表示部１６ｆと、ＣＯ2削減量表示部１６ｇとを含む。Ｃ棟表示部１６は、Ｃ棟１０６の各設備に関する電力情報を表示する表示領域であり、当該表示領域は上述したＡ棟表示部１２と同様であるため、詳細な説明は省略する。
【００３３】
Ｄ棟表示部１８は、Ｄ棟１０８の電力の情報を模式的に表示する表示領域であり、太陽電池モジュール表示部１８ａと、二次電池表示部１８ｃと、発電量表示部１８ｄと、蓄電量表示部１８ｅと、負荷情報表示部１８ｆと、ＣＯ2削減量表示部１８ｇとを含む。Ｄ棟表示部１８は、Ｄ棟１１８の各設備に関する電力情報を表示する表示領域であり、当該表示領域は上述したＡ棟表示部１２と同様であるため、詳細な説明は省略する。
【００３４】
系統電源表示部１９は、商用電源１１０における商用電力の電力量を数字で表示する商用電力量表示部１９ａを含む表示領域である。
【００３５】
気象情報表示部２２は、電力管理対象施設１００の周辺における気象情報として、日射量と、温度と、湿度とを数字として表示する表示領域である。
【００３６】
電力量合計値表示部２４は、ＰＶ電力の合計電力値と、ＬｉＢ電力の合計電力値と、商用電力の合計電力値と、負荷電力の合計電力値とを数字で表示する表示領域である。ここで、ＰＶ電力の合計電力値は、負荷情報表示部１２ｆ〜１８ｆの各ＰＶ電力の電力値の合計値である。また、ＬｉＢ電力の合計電力値は、負荷情報表示部１２ｆ〜１８ｆの各ＬｉＢ電力の電力値の合計値である。そして、商用電力の合計電力値は、負荷情報表示部１２ｆ〜１８ｆの各商用電力の電力値の合計値である。また、負荷電力の合計電力値は、負荷情報表示部１２ｆ〜１８ｆの各負荷電力の電力値の合計値である。
【００３７】
ＣＯ2削減量合計値表示部２５は、ＣＯ2削減量の合計値を数字で表示する表示領域である。ここで、ＣＯ2削減量の合計値は、ＣＯ2削減量表示部１２ｇ〜１８ｇのＣＯ2削減量の合計値である。
【００３８】
電力量合計値表示部２４は、電力管理装置１０の表示部１１の同一画面上において、Ａ棟表示部１２と、Ｂ棟表示部１４と、Ｃ棟表示部１６と、Ｄ棟表示部１８と、系統電源表示部１９と、電力経路表示部２０と、気象情報表示部２２とは異なる領域に配置されている。ＣＯ2削減量表示部２５は、電力量合計値表示部２４の近傍に配置される。
【００３９】
電力量合計値表示部２６は、ＰＶ電力の合計電力値と、ＬｉＢ電力の合計電力値と、商用電力の合計電力値と、負荷電力の合計電力値とについて、それぞれ１日を単位として演算を行って、その結果を数字で表示する表示領域である。ここで、ＰＶ電力の合計電力値は、電力量合計値表示部２４のＰＶ電力の合計電力値について、１日を単位として演算して求めた電力値である。また、ＬｉＢ電力の合計電力値は、電力量合計値表示部２４のＬｉＢ電力の合計電力値について、１日を単位として演算して求めた電力値である。そして、商用電力の合計電力値は、電力量合計値表示部２４の商用電力の合計電力値について、１日を単位として演算して求めた電力値である。また、負荷電力の合計電力値は、電力量合計値表示部２４の負荷電力の合計電力値について、１日を単位として演算して求めた電力値である。
【００４０】
ＣＯ2削減量合計値表示部２７は、ＣＯ2削減量の合計値について、１日を単位として演算を行って、その結果を数字で表示する表示領域である。ここで、ＣＯ2削減量の合計値は、ＣＯ2削減量合計値表示部２５の合計削減値について、１日を単位として演算して求めたＣＯ2削減量の合計値である。
【００４１】
電力量合計値表示部２８は、電力量合計値表示部２６と類似する表示領域であり、各合計電力値について、電力量合計値表示部２６のように、１日単位ではなく、１ヶ月単位で演算して求めた結果を数字で表示する表示領域である。電力量合計値表示部２８は、電力量合計値表示部２６に隣接して配置されている。
【００４２】
ＣＯ2削減量合計値表示部２９は、ＣＯ2削減量の合計値について、１ヶ月を単位として演算して求めた結果を数字で表示する表示領域である。ここで、ＣＯ2削減量の合計値は、ＣＯ2削減量合計値表示部２５の合計削減値について、１ヶ月を単位として演算して求めたＣＯ2削減量の合計値である。なお、ＣＯ2削減量合計値表示部２９は、電力量合計値表示部２８の近傍に配置されている。
【００４３】
電力量合計値表示領域３０は、電力量合計値表示部２６と類似する表示部であり、各合計電力値について、電力量合計値表示部２６のように１日単位ではなく、１年単位で演算して求めた結果を数字で表示する表示領域である。電力量合計値表示領域３０は、電力量合計値表示部２８に隣接して配置されている。
【００４４】
ＣＯ2削減量合計値表示領域３１は、ＣＯ2削減量の合計値について、１年を単位として演算して求めた結果を数字で表示する表示領域である。ここで、ＣＯ2削減量の合計値は、ＣＯ2削減量合計値表示部２５の合計削減値について、１年を単位として演算して求めたＣＯ2削減量の合計値である。なお、ＣＯ2削減量合計値表示領域３１は、電力量合計値表示領域３０の近傍に配置されている。
【００４５】
系統連系表示部４０は、Ａ棟表示部１２に近接して設けられる表示領域であり、当該表示領域では、太陽電池モジュール部１０２ａのＰＶ電力のうち、余剰電力をＡ棟１０２の外部に対して供給する際に、その供給電力量を数字で表示する。
【００４６】
系統連系表示部４１は、Ｂ棟表示部１４に近接して設けられる表示領域であり、当該表示領域では、太陽電池モジュール部１０２ａのＰＶ電力のうち、余剰電力をＢ棟１０４の外部に対して供給する際に、その供給電力量を数字で表示する。
【００４７】
系統連系表示部４２は、Ｃ棟表示部１６に近接して設けられる表示領域であり、当該表示領域では、太陽電池モジュール部１０２ａのＰＶ電力のうち、余剰電力をＣ棟１０６の外部に対して供給する際に、その供給電力量を数字で表示する。
【００４８】
図３は、電力管理装置１０の表示部１１に表示される電力情報表示画面において、Ｄ棟１０８の電力情報の詳細図を表示させた図である。電力管理装置１０において、ユーザ等の操作によって電力管理対象施設１００の各棟のうち、１つの施設における詳細な電力情報を表示させることができる。このとき、図３に示されるように、表示部１１には、太陽電池モジュール表示部５０ａ，５０ｂ，５０ｃと、発電量表示部５２と、二次電池表示部５４と、蓄電量表示部５６と、ＣＯ2削減量表示部５７と、負荷情報表示部５８ａ，５８ｂ，５８ｃ，５８ｄと、気象情報表示部６０と、電力量合計値表示部６２，６４，６６と、ＣＯ2削減量合計値表示部６３，６５，６７と、系統連系表示部７１と、ＬｉＢ充電電力表示部７２と、ＬｉＢ放電電力表示部７３と、商用電力表示部７４，７５，７６と、ＰＶ発電電力表示部７７を含む。
【００４９】
太陽電池モジュール表示部５０ａ，５０ｂ，５０ｃは、太陽電池モジュール部１０８ａを構成する各太陽電池モジュールにそれぞれ対応するものであり、ここでは、太陽電池モジュール表示部５０ａ，５０ｂと太陽電池モジュール表示部５０ｃの２つのグループに分けられている。そして、１つ目のグループである太陽電池モジュール表示部５０ａ，５０ｂは、電力経路表示部２０の延伸経路のうち、負荷情報表示部５８ｃに接続される延伸経路２０３上に設けられる。また、太陽電池モジュール表示部５０ｃは、電力経路表示部２０の延伸経路のうち、負荷情報表示部５８ｄに接続される延伸経路２０４上に設けられる。
【００５０】
二次電池表示部５４は、電力経路表示部２０の延伸経路のうち、太陽電池モジュール１０８ｃと負荷情報表示部５８ｄとを結ぶ延伸経路２０８，２０９上に設けられる。
【００５１】
発電量表示部５２は、太陽電池モジュール表示部５０ａ，５０ｂ，５０ｃに対応する太陽電池モジュールの発電量の合計を数字で表示する表示領域である。また、発電量表示部５２は、太陽電池モジュール表示部５０ａ，５０ｂ，５０ｃの近傍に設けられている。
【００５２】
蓄電量表示部５６は、二次電池表示部５４に対応する二次電池部１０８ｃの蓄電量の合計を数字で表示する表示領域である。また、蓄電量表示部５６は、二次電池表示部５４の近傍に配置されている。
【００５３】
ＣＯ2削減量表示部５７は、Ｄ棟１０８内におけるＣＯ2削減量を数字で表示する表示領域である。ここで、ＣＯ2削減量は、商用電源１１０の商用電力によるＣＯ2削減量と、商用電源１１０以外の自給電力によるＣＯ2削減量とが合算された値であり、具体的なＣＯ2削減量の求め方は、上述した通りである。
【００５４】
負荷情報表示部５８ａは、負荷部１０８ｂの要求電力である負荷電力の電力値を数字で表示する表示領域である。負荷情報表示部５８ａは、負荷部１０８ｂにおいて、例えば、高速充電が必要な電気自動車に用いられる高速充電器の負荷電力を表示する。なお、負荷情報表示部５８ａは、上記の例では、特に、高速充電器の負荷電力を表示するものであるため、図３に示されるように、商用電源１１０に接続される電力経路表示部２０の延伸経路２０５のみに接続されている。
【００５５】
負荷情報表示部５８ｂは、負荷部１０８ｂの要求電力である負荷電力の電力値を数字で表示する表示領域である。負荷情報表示部５８ｂは、負荷部１０８ｂにおいて、例えば、上述の高速充電よりも速度の遅い中速充電が必要な電気自動車に用いられる中速充電器の負荷電力を表示する。なお、負荷情報表示部５８ｂは、上記の例では、特に、中速充電器の負荷電力を表示するものであるため、商用電源１１０に接続される電力経路表示部２０の延伸経路２０６のみに接続されている。
【００５６】
負荷情報表示部５８ｃは、負荷部１０８ｂの要求電力である負荷電力の電力値と、太陽電池モジュール１０８ｂのうち太陽電池モジュール表示部５０ａ，５０ｂに対応する太陽電池モジュールのＰＶ電力、商用電源１１０の商用電力のうち、当該負荷電力に対して供給される電力の内訳として、各電力の電力値を負荷電力の電力値とともに数字で表示する表示領域である。負荷情報表示部５８ｃは、負荷部１０８ｂにおいて、例えば、上述の低速充電よりも速度の遅い低速充電が必要な電気自動車に用いられる低速充電器の負荷電力を表示する。なお、負荷情報表示部５８ｃは、上記の例では、特に、低速充電器の負荷電力を表示するものであるため、太陽電池モジュール表示部５０ａ，５０ｂに接続される延伸経路２０３と商用電源１１０に接続される延伸経路２０７に接続されている。
【００５７】
負荷情報表示部５８ｄは、負荷部１０８ｂの要求電力である負荷電力の電力値と、太陽電池モジュール１０８ｂのうち太陽電池モジュール表示部５０ａ，５０ｂに対応する太陽電池モジュールのＰＶ電力、二次電池部１０８ｃのＬｉＢ電力、商用電源１１０の商用電力のうち、当該負荷電力に対して供給される電力の内訳として、各電力の電力値を負荷電力の電力値とともに数字で表示する。負荷情報表示部５８ｄは、負荷部１０８ｂにおいて、例えば、上述の低速充電よりもさらに速度の遅い超低速充電が必要な電気自動車に用いられる超低速充電器の負荷電力を表示する。なお、負荷情報表示部５８ｄは、上記の例では、特に、超低速充電器の負荷電力を表示するものであるため、太陽電池モジュール表示部５０ｃに接続される延伸経路２０４と、二次電池表示部５４に接続される延伸経路２０８と商用電源１１０に接続される延伸経路２０７に接続されている。
【００５８】
気象情報表示部６０は、電力管理対象施設１００の周辺における気象情報として、日射量と、温度を数字として表示する表示領域である。そして、数字で表示する温度としては、太陽電池モジュール部１０８ａの温度測定対象モジュールを２つ選択した場合に、１つ目の太陽電池モジュールの表面温度と、２つ目の太陽電池モジュールの表面温度とを表示している。もちろん、温度測定対象モジュールの選択は２つに限定されず、その他の数であってもよい。
【００５９】
電力量合計値表示部６２は、ＰＶ電力の合計電力値と、ＬｉＢ電力の合計電力値と、商用電力の合計電力値と、負荷電力の合計電力値とを数字で表示する表示領域である。ここで、ＰＶ電力の合計電力値は、負荷情報表示部５８ａ〜５８ｄのＰＶ電力の電力値の合計値について、１日を単位として演算して求めた結果を数字で表示している。そして、商用電力の合計電力値は、負荷情報表示部５８ａ〜５８ｄの商用電力の電力値の合計値について、１日を単位として演算して求めた結果を数字で表示している。また、負荷電力の合計電力値は、負荷情報表示部１２ｆ〜１８ｆの負荷電力の電力値の合計値について、１日を単位として演算して求めた結果を数字で表示している。
【００６０】
ＣＯ2削減量合計値表示部６３は、ＣＯ2削減量の合計値を数字で表示する表示領域である。ここで、ＣＯ2削減量の合計値は、ＣＯ2削減量表示部５７のＣＯ2削減量の合計値について、１日単位として演算して求めた結果を数字で表示している。
【００６１】
電力量合計値表示部６２は、電力管理装置１０の表示部１１の同一画面上において、太陽電池モジュール表示部５０ａ，５０ｂ，５０ｃと、発電量表示部５２と、二次電池表示部５４と、蓄電量表示部５６と、ＣＯ2削減量表示部５７と、負荷情報表示部５８ａ，５８ｂ，５８ｃ，５８ｄと、気象情報表示部６０とは異なる領域に配置されている。ＣＯ2削減量表示部６３は、電力量合計値表示部６２の近傍に配置される。
【００６２】
電力量合計値表示部６４は、電力量合計値表示部６２と類似する表示領域であり、各合計電力値について、電力量合計値表示部６２のように１日単位ではなく、１ヶ月単位で演算して求めた結果を数字で表示をしている。電力量合計値表示部６４は、電力量合計値表示部６２に隣接して配置されている。
【００６３】
ＣＯ2削減量合計値表示部６５は、ＣＯ2削減量の合計値について、１ヶ月を単位として求めた結果を数字で表示する。ここで、ＣＯ2削減量の合計値は、ＣＯ2削減量合計値表示部５７の合計削減値について、１ヶ月を単位として演算したＣＯ2削減量の合計値である。なお、ＣＯ2削減量合計値表示部６５は、電力量合計値表示部６４の近傍に配置されている。
【００６４】
電力量合計値表示部６６は、電力量合計値表示部６２と類似する表示領域であり、各合計電力値について、電力量合計値表示部６２のように１日単位ではなく、１年単位で演算して求めた結果を数字で表示をしている。電力量合計値表示部６６は、電力量合計値表示部６４に隣接して配置されている。
【００６５】
ＣＯ2削減量合計値表示部６７は、ＣＯ2削減量の合計値について、１年を単位として演算して求めた結果を数字で表示する。ここで、ＣＯ2削減量の合計値は、ＣＯ2削減量合計値表示部５７の合計削減値について、１年を単位として演算したＣＯ2削減量の合計値である。なお、ＣＯ2削減量合計値表示部６７は、電力量合計値表示部６６の近傍に配置されている。
【００６６】
系統連系表示部７１は、電力経路表示部２０の延伸経路２１０に近接して設けられる表示領域であり、当該表示領域では、太陽電池モジュール部１０８ａのＰＶ電力のうち、余剰電力をＤ棟１０８の外部に対して供給する際に、その供給電力量を数字で表示する。
【００６７】
ＬｉＢ充電電力表示部７２は、電力経路表示部２０の延伸経路２０９に近接して配置される表示領域であり、当該表示領域では、太陽電池モジュール部１０８ａのうち太陽電池モジュール表示部５０ｃに対応する太陽電池モジュールから二次電池部１０８ｃへの充電電力量を数字で表示する。
【００６８】
ＬｉＢ放電電力表示部７３は、電力経路表示部２０の延伸経路２０８に近接して配置される表示領域であり、当該表示領域では、二次電池部１０８ｃから負荷１０８ｂのうち負荷Ｄ側に放電する放電電力量を数字で表示する。
【００６９】
ＰＶ発電電力表示部７７は、電力経路表示部２０の延伸経路２０４に近接して配置される表示領域であり、当該表示領域では、上記太陽電池モジュール表示部５０ｃに対応する太陽電池モジュールから上記負荷Ｄ側へ供給される発電電力量を数字で表示する。
【００７０】
商用電力表示部７４は、電力経路表示部２０の延伸経路２０７に近接して配置される表示領域であり、当該表示領域では、商用電源１１０から負荷部１０８ｂの負荷Ｃ、負荷Ｄ側に供給される商用電力量を数字で表示する。
【００７１】
商用電力表示部７５は、電力経路表示部２０の延伸経路２０５に近接して配置される表示領域であり、当該表示領域では、商用電源１１０から負荷部１０８ｂの負荷Ａ側に供給される商用電力量を数字で表示する。
【００７２】
商用電力表示部７６は、電力経路表示部２０の延伸経路２０６に近接して配置される表示領域であり、当該表示領域では、商用電源１１０から負荷部１０８ｂの負荷Ｂ側に供給される商用電力量を数字で表示する。
【００７３】
上記構成の電力管理装置１０の表示部１１における表示の作用について説明する。図２に示されるように、電力管理装置１０の表示部１１では、同一画面上で電力管理対象施設１００における電力の有無及び電力の流れを電力経路表示部２０上において矢印マークを用いて表示することができ、これに加えて、各施設内におけるそれぞれの電力情報を数字で表示するため、電力管理対象施設１００の電力情報を定量的及び定性的に容易に把握することができる。
【００７４】
また、各棟における負荷情報表示部１２ｆ〜１８ｆにおいて、負荷へ供給される電力の内訳として、ＰＶ電力と、商用電力、ＬｉＢ電力の各電力量を数字で表示しているため、現在、どの種類の電力が主に用いられているかを容易に把握することができる。
【００７５】
そして、各棟における負荷情報表示部１２ｆ〜１８ｆは、電力経路表示部２０のうち環状経路２０１から各棟表示部に向かって延伸する延伸経路上にそれぞれ設けられており、電力の流れが表示される経路上に設けられているため、電力の種類及び電力の流れと各電力情報との関係を容易に把握することができる。
【００７６】
また、ＣＯ2削減量表示部１２ｇ〜１８ｇは、それぞれ負荷情報表示部１２ｆ〜１８ｆの近傍位置に配置されているため、電力情報とＣＯ2削減量との関係を容易に把握することができる。そして、各ＣＯ2削減量を確認することで、電力管理対象施設１００における電力管理手法の変更、例えば、各棟の二次電池部の蓄電量等を考慮して、余剰電力を有する二次電池部を電力供給源として有効活用する等のように電力管理において有効なフィードバック処理を行うことができる。
【００７７】
さらに、各棟における負荷情報表示部１２ｆ〜１８ｆと、発電量表示部１２ｄ〜１８ｄ及び蓄電量表示部１２ｅ〜１８ｅとは異なる色あるいは異なる模様で表示されているため、負荷情報表示部１２ｆ〜１８ｆをその他の表示領域と容易に区別することができる。
【００７８】
そして、電力経路表示部２０に流れる電力のうち、商用電力は、ＰＶ電力、ＬｉＢ電力と異なる色あるいは異なる模様で表示されているため、商用電力をその他の電力と容易に区別することができる。
【００７９】
また、電力量合計値表示部２４は、負荷情報表示部１２ｆ〜１８ｆにおいて、各ＰＶ電力の合計電力値と、各ＬｉＢ電力の合計電力値と、各商用電力の合計電力値と、各負荷電力の合計電力値とを数字で表示する。これにより、電力管理対象施設１００の全体の電力情報を容易に把握することができる。
【００８０】
さらに、ＣＯ2削減量合計値表示部２５は、ＣＯ2削減量表示部１２ｇ〜１８ｇのＣＯ2削減量の合計値を数字で表示しているため、電力管理対象施設１００の全体のＣＯ2削減量を容易に把握することができる。
【００８１】
また、電力量合計値表示部２４及びＣＯ2削減量合計値表示部２５に加えて、電力量合計値表示部２６，２８，３０及びＣＯ2削減量合計値表示部２７，２９，３１が設けられているため、現時点での合計値だけでなく、１日単位、１ヶ月単位、１年単位というように種々の期間における電力管理を容易に行うことができる。
【００８２】
そして、図３に示されるように、電力管理対象施設１００の各棟の詳細な電力情報を表示部１１の同一画面上に表示させた場合であっても、図２の表示部１１における電力情報表示画面と同様に、各表示領域で電力の有無及び電力の流れを表示し、これに加えて、電力情報を数字で表示している。これにより、図２の表示部１１において表示される電力情報表示画面と同様の効果を有する。ここで、図２と図３とを比較すると、図３では、Ｄ棟１０８の各設備を省略せずに記載しているため、Ｄ棟１０８内の各設備における詳細な電力情報を把握することができる。一方、図２では、Ｄ棟１０８内の各設備において、同一の設備が複数存在する場合には、当該設備を代表として１つだけを表示している。そして、図２に示されるように、太陽電池モジュールについては、１つのみが表示され、負荷についても、１つのみが表示されているが、負荷情報表示部１８ｆは各発電電力及び各負荷電力の合計値が記載されている。このように、図２においては、重複する設備が複数存在する場合には、その設備の代表として１つだけを表示するものとして省スペース化を図っているため、同一画面上により多くの情報を表示することができる。
【００８３】
なお、図２，３に示されるように各表示領域において表示される電力情報は、それぞれｋＷあるいはｋＷｈのいずれかで単位が統一されている。これにより、単位が統一されていない場合に比べ、より容易に電力情報を定量的に把握することができる。
【符号の説明】
【００８４】
１０  電力管理装置、１１  表示部、１２  Ａ棟表示部、１２ａ  太陽電池モジュール表示部、１２ｃ  二次電池表示部、１２ｄ  発電量表示部、１２ｅ  蓄電量表示部、１２ｆ  負荷情報表示部、１２ｇ  ＣＯ2削減量表示部、１４  Ｂ棟表示部、１４ａ  太陽電池モジュール表示部、１４ｃ  二次電池表示部、１４ｄ  発電量表示部、１４ｅ  蓄電量表示部、１４ｆ  負荷情報表示部、１４ｇ  ＣＯ2削減量表示部、１６  Ｃ棟表示部、１６ａ  太陽電池モジュール表示部、１６ｄ  発電量表示部、１６ｆ  負荷情報表示部、１６ｇ  ＣＯ2削減量表示部、１８  Ｄ棟表示領域、１８ａ  太陽電池モジュール表示部、１８ｃ  二次電池表示部、１８ｄ  発電量表示部、１８ｅ  蓄電量表示部、１８ｆ  負荷情報表示部、１８ｇ  ＣＯ2削減量表示部、１９  系統電源表示領域、１９ａ  商用電力量表示部、２０  電力経路表示部、２２  気象情報表示部、２４，２６，２８，３０  電力量合計値表示領域、２５，２７，２９，３１  ＣＯ2削減量合計値表示領域、５０ａ，５０ｂ，５０ｃ  太陽電池モジュール表示部、５２  発電量表示部、５４  二次電池表示部、５６  蓄電量表示部、５７  ＣＯ2削減量表示部、５８ａ，５８ｂ，５８ｃ，５８ｄ  負荷情報表示部、６０  気象情報表示部、６２，６４，６６  電力量合計値表示領域、６３，６５，６７  ＣＯ2削減量合計値表示領域、１００  電力管理対象施設、１０２  Ａ棟、１０２ａ，１０４ａ，１０６ａ，１０８ａ  太陽電池モジュール部、１０２ｂ，１０４ｂ，１０６ｂ，１０８ｂ  負荷部、１０２ｃ，１０４ｃ，１０８ｃ  二次電池部、１０４  Ｂ棟、１０６  Ｃ棟、１０８  Ｄ棟、１１０  商用電源。
【図１】
2012090483.tif 000003
【図２】
2012090483.tif 000004
【図３】
2012090483.tif 000005